(57)【要約】【課題】第２のカラープリント技術を用いてプリントされた色に、第１のカラープリント技術を用いてプリントされる色を色合わせするための方法および装置を提供する。【解決手段】本発明の実施形態の方法（２００）は、その上に第２のカラープリント技術を用いて第２の色較正対象がすでに出力されている媒体上に、第１のカラープリント技術を用いて第１の色較正対象を出力する（２０６）。第１の色較正対象と第２の色較正対象との色差が求められる（２０８）。第１の色較正対象と第２の色較正対象との色差に基づいて、第１のカラープリント技術が較正される（２１６）。【選択図】図２
2005041221.tif 000002
【特許請求の範囲】
【請求項１】
その上に第２のカラープリント技術を用いて第２の色較正対象がすでに出力されている媒体上に、第１のカラープリント技術を用いて第１の色較正対象を出力するステップと、
前記第１の色較正対象と前記第２の色較正対象との色差を求めるステップと、
前記第１の色較正対象と前記第２の色較正対象との前記色差に基づいて、前記第１のカラープリント技術を較正するステップと、
を含む方法。
【請求項２】
前記第１の色較正対象と前記第２の色較正対象との前記色差に基づいて前記第１のカラープリント技術を較正するステップにより、前記第１の色較正対象の次の出力が、前記第２の色較正対象に、より良好に合致することが可能になる、請求項１に記載の方法。
【請求項３】
前記第２のカラープリント技術を用いて、前記第２の色較正対象を前記媒体上に最初に出力するステップをさらに含む、請求項１に記載の方法。
【請求項４】
前記第１の色較正対象を前記媒体上に出力せずに、前記第１の色較正対象を前記第２の色較正対象に最初に予め合致させるステップをさらに含む、請求項１に記載の方法。
【請求項５】
前記第１のカラープリント技術を用いて前記第１の色較正対象を前記媒体上に出力するステップが、前記第２のカラープリント技術を用いて前記第２の色較正対象が予めプリントされた前記媒体上に、前記第１のカラープリント技術を用いて前記第１の色較正対象を出力するステップを含む、請求項１に記載の方法。
【請求項６】
前記第１の色較正対象と前記第２の色較正対象との色差を求めるステップが、
前記第１の色較正対象を光学的に検知して、第１の色較正対象値を生成するステップと、
前記第２の色較正対象を光学的に検知して、第２の色較正対象値を生成するステップと、
前記第１の色較正対象値と前記第２の色較正対象値との差に基づいて、前記第１の色較正対象と前記第２の色較正対象との色差を求めるステップと、
を含む、請求項１に記載の方法。
【請求項７】
前記第１の色較正対象の次の出力が前記第２の色較正対象とより良好に合致するように前記第１のカラープリント技術を較正するステップが、前記第１のカラープリント技術に対して１つまたは複数の色マップを構築して前記第１の色較正対象と前記第２の色較正対象との色差を補償するステップを含む、請求項１に記載の方法。
【請求項８】
前記第１の色較正対象の次の出力が前記第２の色較正対象とより良好に合致するように前記第１のカラープリント技術を較正するステップが、前記第１の色較正対象を前記第２の色較正対象に、閾値を上回ることによって、合致させるステップを含む、請求項１に記載の方法。
【請求項９】
前記第１の色較正対象の次の出力が前記第２の色較正対象とより良好に合致するように前記第１のカラープリント技術を較正するステップが、
前記第１のカラープリント技術が、前記第１の色較正対象を前記第２の色較正対象に閾値を超えることによって合致させることができないと判断するステップと、
前記第１の色較正対象に対して１つまたは複数の代替色を求めるステップと、
前記１つまたは複数の代替色のいずれを前記第１の色較正対象のために用いるのかをユーザが選択できるようにするステップと、
を含む、請求項１に記載の方法。
【発明の詳細な説明】
【技術分野】
【０００１】
本発明は、一般に、カラープリントに関し、特に、第２のカラープリント技術を用いてプリントされた色と、第１のカラープリント技術を用いてプリントされた色との色合わせに関する。
【背景技術】
【０００２】
場合によっては、同じ媒体上のプリントに対して異なるプリント技術が用いられる。たとえば、レターヘッドなどのビジネス書簡紙は、オフセットアナログプレス技術などの、市販の高速プリント技術を用いて大量にプリントされることができる。次に、特定の一枚の書簡紙を用いるとき、インクジェットプリンタまたはレーザプリンタなどの他のプリント技術を用いることができる。社名および住所などのプリントジョブ間で変化しない情報は、前者のプリント技術を用いてプリントされる傾向があり、書簡の内容などのプリントジョブに固有の情報は、通常、後者のプリント技術を用いてプリントされる。
【０００３】
多くの場合、１つのプリント技術を用いてプリントされる色は、他のプリント技術でプリントされる際の色と合致することが望ましい。たとえば、高速オフセットプリント技術でプリントされるレターヘッド媒体は、特定の色でプリントされた会社のロゴを有する場合がある。インクジェット技術などの他のプリント技術を用いて一枚のレターヘッドにプリントする場合、書簡の書き手の名前は、同じ色でプリントされることが所望される場合がある。インクジェットプリント装置による色の出力は、たとえば、書簡の受取人が２つの異なるプリント技術が媒体にプリントするために用いられたことに気付かないように、高速オフセットプリント装置によって前に出力された色と合致しなければならない。
【発明の開示】
【発明が解決しようとする課題】
【０００４】
しかし、プリント技術間の色合わせは、困難である場合がある。アナログプリント技術によってプリントされるスポットカラーは、特別に混合されたインクから生じ、所望の色を得るために基本色を組み合わせるインクジェットプリンタなどのデジタルプリント技術によってプリントされるプロセスカラーの色域を超える場合がある。たとえば、インクジェットプリンタは、シアン、マゼンタ、イエロー、およびブラックなどのカラーインクの限定された選択を用いて、組み合わせによって代替色を生成する。特定のスポットカラーにプロセスカラーがマッピングされていても、プリント技術が特定の媒体にどのようにプリントするかの差、および他の要因により、スポットカラーとプロセスカラーとの間に目に見える色差を生じる可能性がある。
【課題を解決するための手段】
【０００５】
本発明の実施形態の方法は、その上に第２のカラープリント技術を用いて第２の色較正対象がすでに出力されている媒体上に、第１のカラープリント技術を用いて第１の色較正対象を出力する。第１の色較正対象と第２の色較正対象との色差が求められる。第１の色較正対象と第２の色較正対象との色差に基づいて第１のカラープリント技術が較正される。
【０００６】
本明細書で参照する図面は、本明細書の一部を構成する。特に明示的に示されず、また、反対の暗示がない限り、図面に示される特徴は、本発明のいくつかの実施形態のみを例示し、本発明のすべての実施形態を例示するものではい。
【発明を実施するための最良の形態】
【０００７】
（詳細な説明）
本発明の例示的な実施形態の以下の詳細な記載では、その一部を形成し、本発明が実施することができる具体的な実施形態の例が例示される添付の図面を参照する。これらの実施形態は、当業者が本発明を実施できるように十分に詳細に記載される。他の実施形態を用いてもよく、論理的、機械的、および他の変更は、本発明の趣旨または範囲から逸脱せずに行うことができる。したがって、以下の詳細な説明は、限定的な意味では捉えられず、本発明の範囲、添付の特許請求の範囲によってのみ規定される。
【０００８】
異なるカラープリント技術における色合わせの概要
図１は、本発明の実施形態による、２つの異なるカラープリント技術でプリントされた代表的な媒体１００を示す。例示的な色境界エリア１０２は、１つのカラープリント技術を用いてプリントされ、例示的な色パッチ１０４および１０６は、他のカラープリント技術を用いてプリントされている。詳細な説明および特許請求の範囲にわたって終始一貫して参照するため、パッチ１０４および１０６を出力するために用いられるカラープリント技術は、第１のカラープリント技術と呼び、境界エリア１０２を出力するために用いられるカラープリント技術は、第２のカラープリント技術と呼ぶ。
【０００９】
第１のカラープリント技術は、第２のカラープリント技術とは異なる。第１のカラープリント技術は、シアン−マゼンタ−イエロー−ブラック（ＣＭＹＫ）色モデルに従って、シアン、マゼンタ、イエロー、および任意選択でブラックを組み合わせることによって所望の色を得るプロセスカラープリント技術であることができる。このようなプロセスカラープリント技術は、特定の色を生成するための、基本色インクなどの異なる基本着色剤の出力が、デジタル的に達成される点でデジタル技術であることができる。たとえば、デスクトップおよびラップトップコンピュータのようなホストコンピューティング装置などのデジタルコンピューティング機能を有する装置、ならびにカラーインクジェットプリント装置およびカラーレーザプリント装置などの画像形成装置を用いることができる。このようなデジタル機能を有する他の装置は、シアン、マゼンタ、イエロー、および任意選択でブラックなどの複数のプロセスカラーが様々な度合いの組み合わせで用いられて所望の色を生成するデジタルプリントプレスまたはデジタルプレスである。
【００１０】
比較すると、第２のカラープリント技術は、単一インクなどの単一着色剤が、所望の色を有し、基本色を組み合わせる必要がないスポットカラープリント技術であることができる。このようなスポットカラープリント技術は、特定のスポットカラーが選択され、次に、単一のパスでプリントするために用いられるアナログ技術であることができる。スポットカラープリント技術の例としては、プリントが所望される色に対応するテンプレートが、スポットカラーインクでコーティングされ、次に、媒体に対してプレスまたはオフセットされるオフセットプリントプレスである。このようなオフセットプリント装置は、通常、たとえば、プリントショップにおいて見出される。このタイプのスポットカラープリント技術は、デジタルコンピューティング機能を有する装置が媒体にプリントするために必要ではないという点でアナログ技術である。
【００１１】
本発明の実施形態は、以下のように、図１の媒体１００に関連して機能する。第１に、境界エリア１０２は、第２のプリント技術を用いてプリントされる。次に、好ましくは、第１のプリント技術用の合致する色が、第１のプリント技術を用いて実際に媒体１００にプリントすることなく求められる。たとえば、境界エリア１０２が特定のスポットカラーである場合、基本色を組み合わせてスポットカラーに合致する可能性のあるプロセスカラーを生成することを提案する既存のデータベースが存在してもよい。次に、色パッチ１０４は、このプロセスカラーで、第１のプリント技術を用いてプリントされる。境界エリア１０２、ならびに色パッチ１０４および色パッチ１０６の少なくとも一部分は、色較正対象（color calibration target）と呼ばれる。これらは、次に、第１のカラープリント技術を用いる色パッチ１０４および１０６を、第２のカラープリント技術を用いる境界エリア１０２にさらに具体的に合致させるために用いられるからである。
【００１２】
パッチ１０４の色は、境界エリア１０２の色と合致すべきであっても、合致しない場合がある。これは、複数の要因のいずれかによる場合がある。第１のカラープリント技術または第２のカラープリント技術は、媒体１００に予想とは異なって出力される場合がある。これは、特に、媒体１００が一般的な紙でなく、光沢紙、厚紙、トランスペアレンシー等の特別なタイプの媒体である場合に特に起こる可能性がある。異なるカラープリント技術が用いられる場合に存在する環境条件は、境界エリア１０２またはパッチ１０４の色に影響を与える可能性がある。境界エリア１０２およびパッチ１０４をプリントするために用いられる装置自体およびインクもしくは着色剤は、仕様に合わない場合があり、この場合、パッチ１０４の色が境界エリア１０２の色と合致しないことになる。
【００１３】
したがって、色パッチ１０４と境界エリア１０２との色差が求められる。これらの色差を求める具体的な手法は、詳細な説明の次の章に記載される。これらの色差に基づき、第１のプリント技術は、第１のプリント技術を用いてパッチ１０４の色の次の出力が、境界エリア１０２の色とより良好に合致するように較正される。色較正に対する具体的な手法もまた、詳細な説明の次の章において記載される。境界エリア１０２の色は、境界エリア１０２がスポットカラープリント技術を用いてプリントされ、パッチ１０４がプロセスカラープリント技術を用いてプリントされる場合に起こる場合があるように、第１のプリント技術について可能な色域すなわち色の範囲を超える可能性がある。したがって、境界エリア１０２の色に非常に厳密に合致するかまたは補足的（complementary）である代替色が、ユーザによって選択されるように提案されることができる。
【００１４】
色較正されたものとしての第１のカラープリント技術が、第２のカラープリント技術を用いてプリントされた境界エリア１０２とより良好に合致する出力を生成することを確認するために、第２のパッチ１０６を、第１のカラープリント技術を用いてプリントすることができる。第２のパッチ１０６が、例えば、閾値を超えているかまたはユーザの満足度に対して、境界エリア１０２と依然として合致していない場合には、パッチ１０４に対して記載されたプロセスを、第２のパッチ１０６に対して繰り返すことができる。すなわち、境界エリア１０２とパッチ１０６との色差が求められ、第１のカラープリント技術は、これらの色差に基づいて再較正される。色が、第２のプリント技術によってプリントされたカラー較正対象と合致するまで、第１のプリント技術によって色較正対象をプリントするこのプロセスは、第１のプリント技術が良好に較正されるまで繰り返すことができる。
【００１５】
異なるカラープリント技術の色合わせ方法
図２は、本発明の実施形態による、異なるカラープリント技術の色合わせ方法２００を示す。方法２００は、本発明の実施形態の他の方法の場合のように、コンピュータ読み出し可能媒体に格納されるコンピュータプログラムとして実現することができる。媒体は、揮発性または不揮発性媒体であってよい。媒体はまた、フラッシュメモリもしくはダイナミックランダムアクセスメモリ（ＤＲＡＭ）のような半導体メモリ、コンパクトディスク（ＣＤ）型媒体もしくはデジタル多用途ディスク（ＤＶＤ）型媒体などの光媒体、および／またはハードディスクドライブ、フレキシブルディスク、もしくはテープカートリッジなどの磁気媒体でもあってもよい。
【００１６】
第２の色較正対象は、まず、第２のカラープリント技術を用いて媒体に出力される（２０２）。第２の色較正対象は、第２のカラープリント技術によって、インクなどの１つまたは複数の着色剤の使用から得られる特定の色を有する。色較正対象という用語は、カラープリント技術によって所定色にプリントされた媒体上のエリアを指す。対象は、特に色合わせの目的でプリントされたサンプルであるか、または媒体にプリントされることが意図される画像またはデザインの一部であってもよい。第２の色較正対象の媒体への最初の出力は、第１の色較正対象が媒体にプリントされる前に第２の対象が媒体に予めプリントされることを意味する。
【００１７】
第１のカラープリント技術を用いて媒体にプリントまたは出力される第１の色較正対象は、実際には第１の色較正対象を出力せずに、第２の色較正対象に任意選択で予め合致される（２０４）。たとえば、第２の色較正対象の色と合致すると思われる第１のカラープリント技術の色を求めるためにデータベースが用いられ得る。あるいは、光学的検知機構を用いて、第２の色較正対象の色値を測定し、第１のカラープリント技術によって出力される第１の色較正対象に対する適切な色を求めることができる。
【００１８】
次に、第１の色較正対象は、第１のカラープリント技術を用いて出力される（２０６）。第１の色較正対象はまた、第１のカラープリント技術によって、インクなどの１つまたは複数の着色剤の使用から得られる特定の色を有する。次に、第１の色較正対象と第２の色較正対象との色差が求められる（２０８）。次に、２つの色較正対象間の色の差は、第１のカラープリント技術を較正するために用いられ、次に出力されることができる第１の色較正対象の色は、第２の色較正対象の色とさらに良好に合致する。
【００１９】
１つの実施形態では、色較正対象間の色差は、２１０、２１２、および２１４を実施することによって求められる。第１の色較正対象は、光学的に検知されて、第１の色較正対象値が生成または測定される（２１０）。たとえば、光センサを、第１の色較正対象の色成分値を測定するために用いることができる。これらの色成分値は、光センサの色空間の色成分のそれぞれに対して特定のビット深さを有する値であることができる。たとえば、光センサの色空間は、赤−緑−青（ＲＧＢ）色空間であってよい。次に、値は、シアン−マゼンタ−イエロー−ブラック（ＣＭＹＫ）色空間などの第１のカラープリント技術の色空間に変換されることができる。
【００２０】
同様に、第２の色較正対象は、光学的に検知されて、第２の色較正対象値が生成または測定される（２１２）。第２の色較正対象の色成分値を測定するために、光センサを用いることもできる。色成分値は、光センサの色空間の色成分であり、これは、第１のカラープリント技術の色空間に再び変換される。このように、較正対象間の色差は、対象値間の差に基づいて求めることができる（２１４）。たとえば、第２の対象の色成分値は、第１の対象の色成分値が得るべき所望の値であることができる。
【００２１】
第１のカラープリント技術は、第１の色較正対象と第２の色較正対象との色差に基づいて較正されるため、第１の色較正対象の次の出力は、第２の色較正対象とより良好に合致する（２１６）。１つの実施形態では、これは、第１の対象によって示されるような、第１のカラープリント技術によって出力される実際の色、および第２の対象によって示されるような所望の色の出力に基づき、第１のカラープリント技術の色空間の各色成分に対して色マップを構築することによって達成される。色マップはまた、色ルックアップテーブル、色インデックスマップ、または色パレットとも呼ばれる。第１のカラープリント技術によって出力される所望の色に基づいて、色マップは、この所望の色を最も厳密に得るように出力されるベースインクのそれぞれの量を提供する。較正は、２１６において用いられる。なぜなら、２０４で行われる最初の予め合致させることは、用いられる特定の第１のカラープリント技術装置における変動を考慮していないし、この装置によって用いられる特定のインクまたは他のインクにおける変動もまた考慮していないからである。このように、色マップは、第１の対象と第２の対象との色差を補償するように構築される。
【００２２】
次に、方法２００は、さらなる較正が行われるべきかどうかを判断する（２１８）。たとえば、１つの実施形態では、２１０で測定された第１の色較正対象値が２１２で測定された第２の色対象値の特定のパーセントすなわち閾値内にある場合、方法２００は、第１の対象が第２の対象に、閾値を上回るか、あるいは下回ることによって、合致すると結論づけ、方法２００は終了される（２２０）。すなわち、方法２００は、第１および第２の対象間の色差が、閾値未満であると結論づけることができる。他の実施形態では、他の例として、ユーザは、第２の色較正対象と合致する第１の色較正対象に満足するかどうかを判断するように要求される。満足する場合には、方法はやはり終了される（２２０）。さらなる較正が行われる場合には、２０６、２０８、および２１６は、２１６で最近行われた較正を反映する別の第１の色較正対象に対して、上記のように繰り返される。この反復プロセスは、さらなる較正が実施されないことが判断されるまで続く。
【００２３】
図３は、本発明の他の実施形態による、図２の２１８において、第１のカラープリント技術のさらなる色較正が実施されるべきかどうかを判断するための方法３００を示す。方法３００は、特に、第２の色較正対象がスポットカラーを有する場合で、第１のカラープリント技術で複製することができるかどうかに関係なく、第１のカラープリント技術が、組み合わせ的なプロセスカラープリント技術である場合に、実施することができる。たとえば、第２の対象は、オフセットカラープリント技術によってプリントされたが、第１の対象は、インクジェットまたはレーザプリント装置などのデジタルカラープリント技術によってプリントすることができる。
【００２４】
まず、方法３００は、第１のカラープリント技術が、第１の色較正対象を第２の色較正対象にパーセントなどの閾値を超えることによって合致させることができないと判断する（３０２）。たとえば、２１０および２１２において用いられる光学的検知デバイスは、第１のカラープリント技術のビット深さよりも大きなビット深さを有することができる。これは、光学的検知デバイスが、第１のカラープリント技術によって再生されることができる色より多くの色を検出することができることを意味する。光学的検知デバイスが、第２の較正対象が第１のカラープリント技術の色域または色の範囲内にない色を有することを検出した場合、第１の対象と第２の対象との正確な合致は可能ではない。
【００２５】
光学的検知デバイスは、たとえば、第２の色較正対象が、ｘのマゼンタ色値を有し、その場合、第１のカラープリント技術は、ｘ＋ｙまたはｘ−ｙに近いマゼンタ色値のみを複製することができることを検出することができる。ｙ／ｘがパーセント閾値を越えると、方法３００は、第１のカラープリント技術が第２の色較正対象に合致することができないと判断することができる。光学的検知デバイスがｎのビット深さを有する場合、これは、各色成分の２n階調を検出することができることを意味する。第１のカラープリント技術がｍ＜ｎのビット深さを有する場合、各色成分の２m＜２n階調を生成することができる。このように、光学的検知デバイスは、第２の色較正対象が、第１のカラープリント技術によって再生されない色値を有するものとして検出することができる。
【００２６】
したがって、方法３００は、第１の色較正対象に対する１つまたは複数の代替色を求める（３０４）。前の例では、たとえば、方法３００は、第１の色較正対象の色のマゼンタ色値に対してｘ＋ｙおよび／またはｘ−ｙを用いることを含む代替を生成することができる。すなわち、第１のカラープリント技術が出力することができる最も近い色が求められる。さらに、第１のカラープリント技術が出力することができる、第２の色較正対象の色に対する補色（補足色）もまた求めることができる。このように、ユーザは、第１の色較正対象に対してどの代替色を用いるかを選択することができる。第１の対象と第２の対象との正確なまたは実質的に正確な合致は得られない可能性があるが、ユーザは、第２の対象に最もよく合致するまたは補足する、第１の対象に対して用いられる色を選択することができる。
【００２７】
システム、ホストコンピューティング装置、および画像形成装置
図４は、本発明の実施形態によるシステム４００を示す。システム４００は、第１の色出力装置４０２、第２の色出力装置４０４、色合わせ機構４０６、および検知機構４０８を含む。第１の色出力装置４０２は、第２の色出力装置４０４とは異なるカラープリント技術を用いる。色出力装置４０２および４０４のそれぞれは、色を出力することができる。たとえば、色出力装置４０２および４０４の１つは、基本色から組み合わせた色を出力することができるのに対して、他の装置は、基本色を組み合わせる必要なく、スポットカラーを出力することができる。第２の色出力装置４０４は、色較正対象を媒体１００に出力し、次に、第１の色出力装置４０２は、装置４０４によって出力された対象の色と合致する色較正対象を媒体１００に出力する。
【００２８】
色合わせ機構４０６は、検知機構４０８を用いて第１の色出力装置４０２を較正し、それによって出力される色は、第２の色出力装置４０４によって出力された色とさらに良好に合致する。色合わせ機構４０６は、検知機構４０８による色の測定値に基づいてこの色較正を行う。検知機構４０８は、光センサ、または他のタイプの検知機構であってよい。図４に示されるように、検知機構４０８は、色合わせ機構４０６に通信可能に接続された外部機構である。しかし、あるいは、光センサは、色合わせ機構４０６、または第１の色出力装置４０２の一部であってもよい。
【００２９】
色合わせ機構４０６は、コンピュータプログラム、および第１の色出力装置４０２に通信可能に接続されたホストコンピューティング装置を含み、コンピュータプログラムは、ホストコンピューティング装置によって実行される。ホストコンピューティング装置は、たとえば、デスクトップまたはラップトップコンピュータであってよい。あるいは、色合わせ機構４０６は、第１の色出力装置４０２の一部であり、色合わせ機構４０６のコンピュータプログラムは、第１の色出力装置４０２によって実行される。コンピュータプログラムは、詳細な説明の前の章において記載された本発明の実施形態の方法を実施することができる。
【００３０】
図５は、本発明の具体的な実施形態によるホストコンピューティング装置として、図４の色合わせ機構４０６を示す。ホストコンピューティング装置は、１つまたは複数の通信機構５０２、およびコンピュータ読み出し可能媒体５０４を含む。ホストコンピューティング装置はまた、図５に示されるものに加えて、および／またはこれらの代わりに他の構成要素を含んでもよい。通信機構５０２は、ホストコンピューティング装置を、有線または無線で、第１の色出力装置４０２および検知機構４０８に通信可能に接続することができる。通信機構５０２は、シリアルもしくはパラレルポート、無線送信機、受信機、または送受信機、および他のタイプの通信機構であるかまたはこれらを含んでもよい。１つの実施形態では、検知機構４０８は、ホストコンピューティング装置の一部であってよい。
【００３１】
コンピュータ読出し可能媒体５０４は、第１の色出力装置４０２を較正するためのコンピュータプログラムを格納し、それによって出力される色は、図４の第２の色出力装置４０４によって出力された色とさらに良好に合致する。さらに一般的には、コンピュータプログラムは、検知機構４０８による測定値に基づいて、他のカラープリント技術によって出力された色とさらに良好に合致する色を媒体１００に出力するように、カラープリント技術を較正する。媒体５０４は、揮発性または不揮発性媒体であり、半導体、光、および／または磁気媒体であってよい。
【００３２】
図６は、本発明の具体的な実施形態による図４の第１の色出力装置４０２を示す。色出力装置４０２は、特に画像形成装置として示され、これは、インクジェットプリント装置またはレーザプリント装置のようなプリント装置などの、媒体に画像を形成することが可能な装置である。色出力装置４０２は、図６の実施形態では、カラー画像形成機構６０２、色合わせ機構４０６、および検知機構４０８を含む。色出力装置４０２はまた、図６に示されるものに加えて、および／またはこれらの代わりに他の構成要素を含んでよい。
【００３３】
カラー画像形成機構６０２は、特に、画像を媒体上に形成する機構である。色出力装置４０２がインクジェットプリント装置である場合、機構６０２はインクジェットプリント機構である。同様に、色出力装置４０２がレーザプリント装置である場合、機構６０２は、レーザプリント機構である。検知機構４０８は、カラー画像形成機構６０２によって出力された色、および図４の第２の色出力装置４０４などの、機構６０２とは異なるカラープリント技術を用いる他のカラー画像形成装置によって出力された色を測定する。色合わせ機構４０６は、検知機構４０８によって得られた測定値に基づき、カラー画像形成機構６０２を較正し、それによって出力される色は、他のカラー画像形成装置によって出力された色とさらに合致する。
【００３４】
結び
本明細書では、具体的な実施形態について例示および記載したが、当業者には言うまでもなく、同じ目的を達成するために考えられる任意の構成を図示される具体的な実施形態の代わりに用いてもよいことに留意されたい。本明細書に記載されるもの以外の本発明の実施形態の応用および使用は、少なくともいくつかの実施形態に適している。この応用は、本発明の適応または変形を網羅するものとする。したがって、本発明は、特許請求の範囲およびその等価物によってのみ明白に限定されるものとする。
【図面の簡単な説明】
【００３５】
【図１】本発明の実施形態による、異なるカラープリント技術を用いてプリントされた例示的な色較正対象を有する代表的な媒体の図である。
【図２】本発明の実施形態による、異なるカラープリント技術の色合わせの方法のフローチャートである。
【図３】本発明の実施形態による、１つのカラープリント技術の色較正対象が、他のカラープリント技術の色域を超える場合にユーザに代替色を選択することを可能にする方法のフローチャートである。
【図４】本発明の実施形態によるシステムの図である。
【図５】本発明の実施形態による、図４のシステムに関連して用いることができるホストコンピューティング装置のブロック図である。
【図６】本発明の実施形態による、図４のシステムに関連して用いることができるプリント装置などの画像形成装置のブロック図である。
【符号の説明】
【００３６】
１００：媒体
４００：システム
４０２：第１の色出力装置
４０４：第２の色出力装置
４０８：検知機構
【図１】
2005041221.tif 000003
【図２】
2005041221.tif 000004
【図３】
2005041221.tif 000005
【図４】
2005041221.tif 000006
【図５】
2005041221.tif 000007
【図６】
2005041221.tif 000008